(57)【要約】【課題】複数種類の光源が放射する光を混合する照明装置において、簡単な構成で色ムラの発生を抑える。【解決手段】拡散反射部１２３は、平面状であり、光を拡散反射する。光源１２５ａ，１２５ｂは、拡散反射部１２３を照射する光を放射する。光源１２５ａ（第一の光源）は、光源１２５ｂ（第二の光源）と対向する位置にある。光源１２５ａと光源１２５ｂとは、異なる色の光を放射する。２種類の光源１２５ａ，１２５ｂが放射した光は、拡散反射部１２３が拡散反射することにより、均等に混ざり合う。【選択図】図１０
2012084433.tif 000002
【特許請求の範囲】
【請求項１】
平面状であり、光を拡散反射する拡散反射部と、
上記拡散反射部を照射する光を放射する２以上の光源とを有し、
上記光源のうち第一の光源は、上記光源のうち第二の光源と対向する位置にあり、上記第二の光源が放射する光と異なる色の光を放射することを特徴とする照明装置。
【請求項２】
上記照明装置は、
上記光源が放射した光を屈折させて上記拡散反射部を照射させる２つの屈折レンズを有し、
上記屈折レンズのうち第一の屈折レンズは、上記第一の光源が放射した光を屈折させて上記拡散反射部を照射させ、
上記屈折レンズのうち第二の屈折レンズは、上記第二の光源が放射した光を屈折させて上記拡散反射部を照射させることを特徴とする請求項１に記載の照明装置。
【請求項３】
上記屈折レンズは、略円柱状であり、
上記屈折レンズの中心軸は、互いに平行であり、上記拡散反射部に対して平行であり、上記拡散反射部からの距離が略同一であり、
上記光源は、上記屈折レンズの中心軸よりも上記拡散反射部から離れた位置にあり、
上記第一の光源と上記第二の光源とは、２つの上記屈折レンズを挟んで対向していることを特徴とする請求項２に記載の照明装置。
【請求項４】
上記照明装置は、４以上の光源を有し、
上記光源のうち第三の光源は、上記第一の光源が放射する光と略同じ色の光を放射し、上記第二の光源に対して上記屈折レンズの中心軸と平行な方向に並んで配置され、
上記光源のうち第四の光源は、上記第二の光源が放射する光と略同じ色の光を放射し、上記第一の光源に対して上記屈折レンズの中心軸と平行な方向に並んで配置され、上記第三の光源に対向する位置にあることを特徴とする請求項１乃至請求項３のいずれかに記載の照明装置。
【請求項５】
上記照明装置は、
上記光源を覆い、上記光源が放射した光のうち上記屈折レンズが屈折させる光以外の光が上記照明装置の外部に漏れないようにする光源覆部を有することを特徴とする請求項１乃至請求項４のいずれかに記載の照明装置。
【発明の詳細な説明】
【技術分野】
【０００１】
この発明は、複数色の光を混色した光を放射する照明装置に関する。
【背景技術】
【０００２】
ＬＥＤなどの光源を用いた照明装置において、複数種類の光源を用いて、異なる色の光を混合することにより、所望の色の光を作る技術がある。また、それぞれの光の量を調整することにより、照明装置が放射する光の色を可変とする技術がある。
【先行技術文献】
【特許文献】
【０００３】
【特許文献１】特開２００９−３０２００８号公報
【発明の概要】
【発明が解決しようとする課題】
【０００４】
複数色の光を混合する場合、方向や位置によって、複数色の光が均等に混ざらず、色ムラが生じる場合がある。
この発明は、例えば上記のような課題を解決するためになされたものであり、簡単な構成で、色ムラの発生を抑えることを目的とする。
【課題を解決するための手段】
【０００５】
この発明にかかる照明装置は、平面状であり、光を拡散反射する拡散反射部と、上記拡散反射部を照射する光を放射する２以上の光源とを有し、上記光源のうち第一の光源は、上記光源のうち第二の光源と対向する位置にあり、上記第二の光源が放射する光と異なる色の光を放射することを特徴とする。
【発明の効果】
【０００６】
この発明にかかる照明装置によれば、第一の光源が放射した光と第二の光源が放射した光とが拡散反射部によって均等に混合するので、簡単な構成で色ムラの発生を抑えることができる。
【図面の簡単な説明】
【０００７】
【図１】実施の形態１における照明装置１００の外観を示す斜視図。
【図２】実施の形態１における照明装置１００の構造を示す側面視断面図。
【図３】実施の形態１における光源ユニット１２０の外観の一例を示す斜視図。
【図４】実施の形態１における光源ユニット１２０の構造を示す側面視断面図。
【図５】実施の形態１における屈折レンズ１２２の形状を示す斜視図。
【図６】実施の形態１におけるレンズ保持部１２４の形状を示す斜視図。
【図７】実施の形態１における光源１２５の配置を示す図。
【図８】実施の形態１における基板１２６に設けられた回路を示す回路図。
【図９】実施の形態１における照明装置１００の回路構成を示す回路図。
【図１０】実施の形態１における光源１２５が放射する光の経路を示す図。
【図１１】実施の形態１における拡散反射部１２３上において光源１２５が照射する照射範囲５１０を示す図。
【図１２】実施の形態２における照明装置１００の回路構成を示す回路図。
【発明を実施するための形態】
【０００８】
実施の形態１．
実施の形態１について、図１〜図１１を用いて説明する。
【０００９】
図１は、この実施の形態における照明装置１００の外観を示す斜視図である。
照明装置１００は、例えば天井面に設けられたグリッドに嵌め込んで使用される照明器具である。照明装置１００は、筐体１１０、光源ユニット１２０などを有する。１つの照明装置１００は、２つの光源ユニット１２０を有する。筐体１１０（器具本体）は、２つの光源ユニット１２０、点灯装置１３０（図２参照）などを内蔵する。光源ユニット１２０は、ＬＥＤなどの光源を有する。
【００１０】
図２は、この実施の形態における照明装置１００の構造を示す側面視断面図である。
照明装置１００は、点灯装置１３０を内蔵している。点灯装置１３０（電源装置）は、商用電源などの交流電源から供給された電力を、光源ユニット１２０の光源に供給する電力に変換する。
【００１１】
図３は、この実施の形態における光源ユニット１２０の外観の一例を示す斜視図である。
光源ユニット１２０（ＬＥＤユニット）は、光源ユニット筐体１２１、屈折レンズ１２２、拡散反射部１２３などを有する。１つの光源ユニット１２０は、２つの屈折レンズ１２２を有する。屈折レンズ１２２は、略円柱状であり、透明な樹脂などにより形成されている。２つの屈折レンズ１２２は、互いに略平行に配置されている。屈折レンズ１２２は、光源が放射した光を屈折させて、拡散反射部１２３に向かわせる。拡散反射部１２３は、略長方形平面状である。拡散反射部１２３（拡散シート）は、白色であり、光を拡散反射する。光源ユニット筐体１２１（ユニット本体、光源覆部）は、略直方体箱状であり、下側が開口している。光源ユニット筐体１２１は、光源の周りを覆い、光源が放射した光が屈折レンズ１２２以外の方向に漏れるのを防ぐ。
【００１２】
図４は、この実施の形態における光源ユニット１２０の構造を示す側面視断面図である。
光源ユニット１２０は、レンズ保持部１２４、光源１２５、基板１２６などを有する。光源ユニット１２０は、２つのレンズ保持部１２４を有する。それぞれのレンズ保持部１２４は、屈折レンズ１２２を保持する。光源ユニット１２０は、２枚の基板１２６を有する。２枚の基板１２６は、互いに略平行であり、向かい合わせに配置されている。基板１２６は、光源ユニット筐体１２１の側壁の内側に取り付けられている。２つの屈折レンズ１２２は、２枚の基板１２６の間に位置し、中心軸が基板１２６と略平行である。１枚の基板１２６には、複数の光源１２５が実装されている。光源１２５は、例えばＬＥＤチップを内蔵したＬＥＤパッケージである。光源１２５は、屈折レンズ１２２の中心軸と略平行な方向に略直線状に並べて配置されている。一方の基板１２６に実装された光源１２５は、もう１枚の基板１２６に実装された光源１２５と、一対一で向かい合わせに配置されている。光源１２５は、屈折レンズ１２２に非常に近い位置にあり、屈折レンズ１２２の中心軸よりも少し下寄りに位置する。このため、光源１２５が放射して屈折レンズ１２２が屈折させた光は、斜め上方向に向かう。拡散反射部１２３は、屈折レンズ１２２よりも上に位置する。このため、光源１２５が放射して屈折レンズ１２２が屈折させた光は、拡散反射部１２３に当たって拡散反射し、拡散反射した光が光源ユニット筐体１２１の開口から外部に放射される。
【００１３】
図５は、この実施の形態における屈折レンズ１２２の形状を示す斜視図である。
上述したように、屈折レンズ１２２（円柱型レンズ）は、略円柱状である。屈折レンズ１２２の屈折率は、１よりも大きく、例えば１．５である。屈折レンズ１２２は、例えばアクリルなどの樹脂により形成されている。屈折レンズ１２２は、凸レンズとして機能する。
【００１４】
図６は、この実施の形態におけるレンズ保持部１２４の形状を示す斜視図である。
レンズ保持部１２４は、例えばシリコーンなどの弾性変形可能な樹脂などにより形成されている。レンズ保持部１２４は、上側係合部２４１、架橋部２４２、下側係合部２４３、円環部２４４などを有する。上側係合部２４１及び下側係合部２４３は、屈折レンズ１２２の円柱側面に当接する。上側係合部２４１は、屈折レンズ１２２の円柱側面のうち、例えば、一番上から、基板１２６に近い側の約四分の一程度の範囲に当接する。下側係合部２４３は、例えば、屈折レンズ１２２の円柱側面のうち、例えば、一番下に近い約十分の一程度の範囲に当接する。架橋部２４２は、略長方形板状であり、基板１２６の表面に沿って、上側係合部２４１と下側係合部２４３とを繋ぐ。架橋部２４２には、光源１２５に対応する位置に略正方形状の貫通穴が設けられている。光源１２５は、この貫通穴のなかに位置し、屈折レンズ１２２に対して光を放射する。円環部２４４は、レンズ保持部１２４の長尺方向両端に位置する。円環部２４４には、レンズ挿入穴２４５が設けられている。レンズ挿入穴２４５の径は、屈折レンズ１２２よりもわずかに小さく、レンズ保持部１２４が弾性変形することにより、レンズ挿入穴２４５に屈折レンズ１２２を挿入して、保持することができる。
【００１５】
図７は、この実施の形態における光源１２５の配置を示す図である。
１枚の基板１２６（ＬＥＤモジュール）には、例えば１２個の光源１２５が実装されている。光源１２５には、光源１２５ａと、光源１２５ｂとの２種類がある。２種類の光源１２５ａ，１２５ｂは同数であり、例えば、１枚の基板１２６に光源１２５ａ（第一ＬＥＤパッケージ）が６個、光源１２５ｂ（第二ＬＥＤパッケージ）が６個実装されている。２種類の光源１２５ａ，１２５ｂは、発光色が異なる。例えば、光源１２５ａは昼白色、光源１２５ｂは電球色である。あるいは、光源１２５ａは相関色温度が５０００Ｋ、光源１２５ｂは相関色温度が３０００Ｋである。照明装置１００が放射する光は、２種類の光源１２５ａ，１２５ｂが放射した光を混ぜた光である。２種類の光源１２５ａ，１２５ｂの発光量を調整することにより、照明装置１００は、色度座標図上で２種類の光源１２５ａ，１２５ｂの色度座標を結んだ線分上の任意の色度座標（相関色温度）の光を放射することができる。２種類の光源１２５ａ，１２５ｂは、交互に並べられている。すなわち、光源１２５ａの隣には光源１２５ｂが配置され、光源１２５ｂの隣には光源１２５ａが配置されている。また、もう１枚の基板１２６との関係で言えば、異なる種類の光源１２５ａ，１２５ｂが、互いに向き合うように配置されている。すなわち、光源１２５ａの正面には光源１２５ｂが配置され、光源１２５ｂの正面には光源１２５ａが配置されている。
【００１６】
図８は、この実施の形態における基板１２６に設けられた回路を示す回路図である。
基板１２６は、例えばプリント配線板であり、銅箔などにより配線が形成されている。基板１２６に形成された配線と、基板１２６に実装された部品とをはんだ付けなどにより電気接続することにより、基板１２６には、２つの光源回路２５０ａ，２５０ｂが形成されている。光源回路２５０ａは、１種類の光源１２５ａだけを直列に電気接続した回路である。光源回路２５０ｂは、もう１種類の光源１２５ｂだけを直列に電気接続した回路である。これは、光源１２５の種類ごとに、発光量を調整できるようにするためである。
【００１７】
図９は、この実施の形態における照明装置１００の回路構成を示す回路図である。
照明装置１００は、各基板１２６ごとに光源回路２５０ａと光源回路２５０ｂとを１つずつ有する。照明装置１００は２つの光源ユニット１２０を有し、１つの光源ユニット１２０は２枚の基板１２６を有するから、照明装置１００は、光源回路２５０ａと光源回路２５０ｂとを４つずつ有する。４つの光源回路２５０ａは、互いに直列に電気接続されている。また、４つの光源回路２５０ｂは、互いに直列に電気接続されている。そして、４つの光源回路２５０ａを直列に接続した回路と４つの光源回路２５０ｂを直列に接続した回路とが直列に電気接続され、８つの光源回路２５０ａ，２５０ｂすべてが直列に電気接続されている。
【００１８】
点灯装置１３０は、例えばバックコンバータ回路を用いた交流直流変換回路であり、ダイオードブリッジＤＢ、入力コンデンサＣ３１、４つのスイッチング素子Ｑ３２，Ｑ３４，Ｑ３８，Ｑ３９、ゲート抵抗Ｒ３３、整流素子Ｄ３５、チョークコイルＬ３６、平滑コンデンサＣ３７、電流検出抵抗Ｒ４０、制御回路１３１などを有する。ダイオードブリッジＤＢは、交流電源ＡＣから供給される交流電力を全波整流して、電圧波形を脈流にする。入力コンデンサＣ３１は、ダイオードブリッジＤＢの出力に並列に電気接続されている。入力コンデンサＣ３１は、バックコンバータ回路で発生する高周波ノイズが照明装置１００の外部に漏れないよう遮断する。スイッチング素子Ｑ３２は、制御回路１３１が生成した制御信号にしたがってオンオフする。スイッチング素子Ｑ３２がオンになるとゲート抵抗Ｒ３３に電流が流れる。ゲート抵抗Ｒ３３に電流が流れることによりゲート抵抗Ｒ３３の両端に電圧が発生すると、スイッチング素子Ｑ３４がオンになる。スイッチング素子Ｑ３４と、整流素子Ｄ３５とは、互いに直列に電気接続し、ダイオードブリッジＤＢの出力に電気接続している。チョークコイルＬ３６と、平滑コンデンサＣ３７とは、互いに直列に電気接続し、整流素子Ｄ３５に並列に電気接続している。スイッチング素子Ｑ３４がオンになると、平滑コンデンサＣ３７を充電する電流が流れる。チョークコイルＬ３６は、平滑コンデンサＣ３７を充電する電流を制限する。スイッチング素子Ｑ３４がオフになると、整流素子Ｄ３５には、還流電流が流れる。８つの光源回路２５０ａ，２５０ｂを直列に電気接続した回路は、平滑コンデンサＣ３７と並列に電気接続している。スイッチング素子Ｑ３８は、４つの光源回路２５０ｂを直列に接続した回路と並列に電気接続している。スイッチング素子Ｑ３８は、制御回路１３１が生成した制御信号にしたがってオンオフする。スイッチング素子Ｑ３９は、４つの光源回路２５０ａを直列に接続した回路と並列に電気接続している。スイッチング素子Ｑ３９は、制御回路１３１が生成した制御信号にしたがってオンオフする。電流検出抵抗Ｒ４０は、光源回路２５０を流れる電流を検出し、検出した電流に比例する電圧（以下「電流検出電圧」と呼ぶ。）を生成する。制御回路１３１は、電流検出抵抗Ｒ４０が生成した電流検出電圧に基づいて、３つのスイッチング素子Ｑ３２，Ｑ３８，Ｑ３９それぞれをオンオフする制御信号を生成する。
【００１９】
制御回路１３１は、スイッチング素子Ｑ３２を高周波（例えば数十ｋＨｚ）でオンオフする。制御回路１３１は、電流検出抵抗Ｒ４０が生成した電流検出電圧に基づいて、光源回路２５０を流れる電流が多すぎる場合には、スイッチング素子Ｑ３２をオンオフする周波数を高くして、平滑コンデンサＣ３７を充電する電流を減らす。これにより、平滑コンデンサＣ３７の両端電圧が下がり、光源回路２５０を流れる電流が少なくなる。逆に、制御回路１３１は、光源回路２５０を流れる電流が少なすぎる場合には、スイッチング素子Ｑ３２をオンオフする周波数を低くして、平滑コンデンサＣ３７を充電する電流を増やす。これにより、平滑コンデンサＣ３７の両端電圧が上がり、光源回路２５０を流れる電流が多くなる。
【００２０】
また、制御回路１３１は、２つのスイッチング素子Ｑ３８，Ｑ３９を高周波（例えば数十ｋＨｚ）で交互にオンオフする。なお、２つのスイッチング素子Ｑ３８，Ｑ３９が同時にオンにならないよう、２つのスイッチング素子Ｑ３８，Ｑ３９のオンオフを切り替えるとき、制御回路１３１は、２つのスイッチング素子Ｑ３８，Ｑ３９をともにオフにするデッドタイム期間を設ける。スイッチング素子Ｑ３８をオン、スイッチング素子Ｑ３９をオフにすると、光源回路２５０ａだけに電流が流れ、光源回路２５０ｂには電流が流れない。このため、光源１２５ａだけが点灯する。また、スイッチング素子Ｑ３８をオフ、スイッチング素子Ｑ３９をオンにすると、光源回路２５０ｂだけに電流が流れ、光源回路２５０ａには電流が流れない。このため、光源１２５ｂだけが点灯する。光源１２５ａと光源１２５ｂとでは種類が異なるため、電圧電流特性が異なる場合がある。また、光源１２５ａと光源１２５ｂとで電圧電流特性が同じだったとしても、１つ１つの光源１２５ａ，１２５ｂの順方向降下電圧にはバラツキがある。このため、同じ電圧を印加したとすると、光源１２５ａを点灯したとき光源回路２５０ａを流れる電流と、光源１２５ｂを点灯したとき光源回路２５０ｂを流れる電流とは、同じにならない場合がある。制御回路１３１は、電流検出抵抗Ｒ４０が生成した電流検出電圧に基づいて、光源回路２５０を流れる電流が一定になるよう、スイッチング素子Ｑ３２を制御して、印加する電圧を変化させるので、光源１２５ａを点灯したとき光源回路２５０ａを流れる電流と、光源１２５ｂを点灯したとき光源回路２５０ｂを流れる電流とは、等しくなる。
制御回路１３１は、光源１２５ａを点灯する期間の長さと、光源１２５ｂを点灯する期間の長さとの割合を調整することにより、光源１２５ａの平均発光量と、光源１２５ｂの平均発光量とを調整し、照明装置１００が発する光の色度座標（相関色温度）を、所望の色度座標（相関色温度）にする。例えば、制御回路１３１は、照明装置１００全体が放射する光の色度座標を所望の色度座標にするために必要な光源１２５ａの平均発光量と光源１２５ｂの平均発光量との比を算出し、あるいはあらかじめ記憶しておく。制御回路１３１は、光源回路２５０ａに目標電流値の電流を流したときの光源１２５ａの発光量と光源回路２５０ｂに目標電流値の電流を流したときの光源１２５ｂの発光量との比と、目標となる平均発光量の比とに基づいて、光源１２５ａを点灯する時間の長さと、光源１２５ｂを点灯する時間の長さとの比を算出する。制御回路１３１は、算出した時間の長さの比に基づいて、２つのスイッチング素子Ｑ３８，Ｑ３９のオンオフを制御する。
なお、平滑コンデンサＣ３７の静電容量が比較的大きい場合など、平滑コンデンサＣ３７の両端電圧が比較的ゆっくり変化する場合には、スイッチング素子Ｑ３８，Ｑ３９のオンオフを切り換えた直後において、光源回路２５０ａあるいは光源回路２５０ｂを流れる電流が一時的に目標電流値から外れる可能性がある。このため、制御回路１３１は、電流検出抵抗Ｒ４０が生成した電流検出電圧に基づいて、光源１２５ａを点灯したとき光源回路２５０ａを流れた電流の実際の値と、光源１２５ｂを点灯したとき光源回路２５０ｂを流れた電流の実際の値とをそれぞれ取得する構成であってもよい。制御回路１３１は、目標電流値ではなく、取得した実際の電流値に基づいて、光源１２５ａの発光量と光源１２５ｂの発光量との比を算出し、算出した発光量の比と、目標となる平均発光量の比とに基づいて、光源１２５ａを点灯する期間の長さと、光源１２５ｂを点灯する期間の長さとの割合を調整することにより、光源１２５ａの平均発光量と、光源１２５ｂの平均発光量とを調整し、照明装置１００が発する光の色度座標（相関色温度）を、所望の色度座標（相関色温度）にする。
【００２１】
図１０は、この実施の形態における光源１２５が放射する光の経路を示す図である。
光源１２５ａが放射した光は、屈折レンズ１２２を通ることにより屈折させられて、拡散反射部１２３に向かう。屈折レンズ１２２が屈折させた光が、２つの屈折レンズ１２２のちょうど真ん中付近で拡散反射部１２３に当たるよう、拡散反射部１２３と屈折レンズ１２２との間の距離を設定する。
光源１２５ａの正面には、光源１２５ｂが位置する。光源１２５ｂが放射した光は、図示していないが、同様に屈折レンズ１２２が屈折させて、２つの屈折レンズ１２２のちょうど真ん中付近で拡散反射部１２３に当たる。すなわち、光源１２５ａが放射した光と、その正面に位置する光源１２５ｂが放射した光とは、拡散反射部１２３上のほぼ同じ位置を照射する。
拡散反射部１２３が、照射された光を拡散反射することにより、光源１２５ａが放射した光と、光源１２５ｂが放射した光とが混ざり、所望の色度座標（相関色温度）の光となる。
【００２２】
図１１は、この実施の形態における拡散反射部１２３上において光源１２５が照射する照射範囲５１０を示す図である。
光源１２５ａは、互い違いに、左右から拡散反射部１２３を照射する。このため、複数の光源１２５ａが全体として拡散反射部１２３を照射する照射範囲５１０ａは、２つの屈折レンズ１２２のちょうど真ん中付近を中心とした帯状の範囲となる。複数の光源１２５ｂが全体として拡散反射部１２３を照射する照射範囲５１０ｂは、図示していないが、照射範囲５１０ａとほぼ一致する範囲となる。
光源１２５ａが照射する照射範囲５１０ａと、光源１２５ｂが照射する照射範囲５１０ｂとがほぼ一致しているので、光源１２５ａが放射した光と、光源１２５ｂが放射した光とが、ほぼ均等に混ざり、色ムラを少なくすることができる。
【００２３】
また、光源１２５が放射した光は、屈折レンズ１２２により屈折させられて、すべて拡散反射部１２３を照射するので、照明装置１００を外から見ても、光源１２５が放射した光を直接見ることはできない。すなわち、照明装置１００は、個々の光源１２５が放射した光を外部に放射することなく、２種類の光源１２５ａ，１２５ｂが放射した光を混色した混合光だけを外部に放射する。
【００２４】
なお、１つの点灯装置１３０で２種類の光源１２５ａ，１２５ｂに電力を供給するのではなく、光源１２５の種類ごとに１つずつ点灯装置１３０を設ける構成であってもよい。
また、２種類の光源１２５ａ，１２５ｂを交互に点灯するのではなく、同時に２種類の光源１２５ａ，１２５ｂを点灯させる期間を設ける構成としてもよい。
また、２種類の光源１２５ａ，１２５ｂを点灯する時間の長さによって、光源１２５ａ，１２５ｂそれぞれの平均発光量を調整するのではなく、光源１２５ａ，１２５ｂそれぞれを流れる電流を変えることにより、それぞれの平均発光量を調整する構成としてもよい。
【００２５】
実施の形態２．
実施の形態２について、図１２を用いて説明する。
なお、実施の形態１と共通する部分については、同一の符号を付し、説明を省略する。
この実施の形態では、放射する光の色（色度座標や相関色温度）や量（調光度）を変えることができる照明装置について説明する。
【００２６】
図１２は、この実施の形態における照明装置１００の回路構成を示す回路図である。
照明装置１００は、実施の形態１で説明した構成に加えて、調光信号入力端子１４１と、色温度信号入力端子１４２とを有する。
調光信号入力端子１４１は、照明装置１００が放射する光の総量（調光度）を指示する調光信号を入力する。調光信号は、例えばパルス幅変調（ＰＷＭ）された矩形波信号であり、例えばオンデューティが大きいほど低い調光度を表わす。
色温度信号入力端子１４２は、照明装置１００が放射する光の色（相関色温度）を指示する色温度信号を入力する。色温度信号は、例えばパルス幅変調された矩形波信号であり、例えばオンデューティが大きいほど低い色温度を表わす。
なお、照明装置１００は、調光度あるいは相関色温度のうちいずれか一方のみを可変とする構成であってもよい。例えば調光度のみを可変とする場合、色温度信号入力端子１４２はなくてもよい。あるいは相関色温度のみを可変とする場合、調光信号入力端子１４１はなくてもよい。
【００２７】
制御回路１３１は、調光信号入力端子１４１が入力した調光信号と、色温度信号入力端子が入力した色温度信号とに基づいて、光源１２５ａが放射すべき光の量と、光源１２５ｂが放射すべき光の量とを算出する。例えば、制御回路１３１は、あらかじめ、調光度と色温度との組と、光源１２５ａ，１２５ｂが放射すべき光の量との関係をテーブルとして記憶しておき、記憶したテーブルを参照することにより、光源１２５ａが放射すべき光の量と、光源１２５ｂが放射すべき光の量とを算出する。
制御回路１３１は、算出した光の量に基づいて、光源回路２５０を流れる電流の目標値と、光源１２５ａを点灯する時間の長さと光源１２５ｂを点灯する時間の長さとの比を算出する。
制御回路１３１は、算出した電流の目標値と、電流検出抵抗Ｒ４０が生成した電流検出電圧とに基づいて、スイッチング素子Ｑ３４のオンオフを制御する。
また、制御回路１３１は、算出した点灯時間の長さの比に基づいて、２つのスイッチング素子Ｑ３８，Ｑ３９のオンオフを制御する。
【００２８】
これにより、照明装置１００は、放射する光の色や量を外部から指示することができる。照明装置１００は、指示にしたがって、放射する光の色や量を変化させる。このように、照明装置１００が放射する光の色や量を変えた場合でも、光源１２５ａが放射した光と、光源１２５ｂが放射した光とを均等に混ぜ、色ムラを少なくすることができる。
【符号の説明】
【００２９】
１００  照明装置、１１０  筐体、１２０  光源ユニット、１２１  光源ユニット筐体、１２２  屈折レンズ、１２３  拡散反射部、１２４  レンズ保持部、１２５  光源、１２６  基板、１３０  点灯装置、１３１  制御回路、１４１  調光信号入力端子、１４２  色温度信号入力端子、２４１  上側係合部、２４２  架橋部、２４３  下側係合部、２４４  円環部、２４５  レンズ挿入穴、２５０  光源回路、５１０  照射範囲、ＡＣ  交流電源、Ｃ３１  入力コンデンサ、Ｃ３７  平滑コンデンサ、Ｄ３５  整流素子、ＤＢ  ダイオードブリッジ、Ｌ３６  チョークコイル、Ｑ３２，Ｑ３４，Ｑ３８，Ｑ３９  スイッチング素子、Ｒ３３  ゲート抵抗、Ｒ４０  電流検出抵抗。
【図１】
2012084433.tif 000003
【図２】
2012084433.tif 000004
【図３】
2012084433.tif 000005
【図４】
2012084433.tif 000006
【図５】
2012084433.tif 000007
【図６】
2012084433.tif 000008
【図７】
2012084433.tif 000009
【図８】
2012084433.tif 000010
【図９】
2012084433.tif 000011
【図１０】
2012084433.tif 000012
【図１１】
2012084433.tif 000013
【図１２】
2012084433.tif 000014